(57)【要約】【課題】スロー表示にかかる処理時間を短縮すること。【解決手段】撮像装置１は、所定の撮像フレームレートで画像データを取得する撮像手段１２と、撮像手段１２により取得した画像データを伝送する第１経路と第２経路とを有する伝送手段と、第１経路で伝送された画像データを記憶する第１記憶手段１５と、第２経路で伝送された画像データから表示用画像データを生成する表示用画像生成手段１４と、表示用画像生成手段１４により生成された表示用画像データを記憶する第２記憶手段１６と、第２記憶手段１６に記憶された表示用画像データを、撮像フレームレートより低い表示フレームレートで表示手段１８に表示させる表示制御手段１７と、を備える。【選択図】図１
2014075761.tif 000002
【特許請求の範囲】
【請求項１】
所定の撮像フレームレートで画像データを取得する撮像手段と、
前記撮像手段により取得した画像データを伝送する第１経路と第２経路とを有する伝送手段と、
前記第１経路で伝送された画像データを記憶する第１記憶手段と、
前記第２経路で伝送された画像データから表示用画像データを生成する表示用画像生成手段と、
前記表示用画像生成手段により生成された表示用画像データを記憶する第２記憶手段と、
前記第２記憶手段に記憶された表示用画像データを、前記撮像フレームレートより低い表示フレームレートで表示手段に表示させる表示制御手段と、
を備えることを特徴とする撮像装置。
【請求項２】
請求項１に記載の撮像装置において、
前記撮像手段により取得した複数の画像データを、前記第１経路と前記第２経路とに、それぞれ入力する入力手段をさらに備えることを特徴とする撮像装置。
【請求項３】
請求項１または２に記載の撮像装置において、
画像の記録を指示する指示手段と、
前記指示手段による指示が行われると、当該指示タイミングにおいて表示手段に表示されていた表示用画像データに対応する、前記第１記憶手段に記憶されている画像データを記録媒体に記録する記録制御手段と、
をさらに備えることを特徴とする撮像装置。
【請求項４】
請求項３に記載の撮像装置において、
前記第１記憶手段に記憶された画像データと、前記第２記憶手段に記憶された、当該画像データに対応する表示用画像データとは、互いに関連付けられて記憶され、
前記記録制御手段は、前記指示手段による指示が行われると、当該指示タイミングにおいて表示手段に表示されていた表示用画像データに関連付けられている画像データを記録媒体に記録することを特徴とする撮像装置。
【請求項５】
請求項１〜４のいずれか一項に記載の撮像装置において、
前記第１記憶手段と前記第２記憶手段は、それぞれ異なる記憶装置に設けられていることを特徴とする撮像装置。
【請求項６】
請求項１〜４のいずれか一項に記載の撮像装置において、
前記第１記憶手段と前記第２記憶手段は、共通の記憶装置において、それぞれ異なる記憶領域に設けられていることを特徴とする撮像装置。
【請求項７】
請求項１〜６のいずれか一項に記載の撮像装置において、
前記画像データは、ＲＡＷ画像データであることを特徴とする撮像装置。
【発明の詳細な説明】
【技術分野】
【０００１】
本発明は、撮像装置に関する。
【背景技術】
【０００２】
シャッターボタンが半押し操作されると、所定の撮像フレームレートで撮像素子に繰り返し撮像させてバッファメモリに複数の撮像画像を記憶し、記憶した複数の撮像画像を撮像フレームレートよりも低いフレームレートで読み出して繰り返し表示部にスロー表示するスロー表示機能を有する撮像装置が知られている（特許文献１参照)。このスロー表示機能では、ユーザがスロー表示を見ながら所望のタイミングでシャッターボタンを全押し操作することで、当該操作時点でスロー表示されていた画像を記録することができる。このようなスロー表示機能は、動きの速い被写体であってもユーザが適切にシャッターチャンスを捉えることができるように設けられている。
【先行技術文献】
【特許文献】
【０００３】
【特許文献１】特許第４４４９９７３号公報
【発明の概要】
【発明が解決しようとする課題】
【０００４】
上記従来技術では、撮像素子により撮像された画像データに対して画像処理を施し、輝度色差信号に変換した後、バッファメモリに記憶する。そして、バッファメモリに記憶した画像データを読み出して、表示部にスロー表示する。また、シャッターボタンが全押し操作されると、バッファメモリに記憶されている画像データを圧縮処理して記録媒体に記録する。このように従来技術では、撮像素子により撮像された画像データをバッファメモリに記憶した後、バッファメモリに記憶されている画像データから表示用の画像データと記録用の画像データとを生成している。従来技術では、スロー表示にかかる処理時間を短縮することについては考慮されていなかった。
【課題を解決するための手段】
【０００５】
本発明による撮像装置は、所定の撮像フレームレートで画像データを取得する撮像手段と、撮像手段により取得した画像データを伝送する第１経路と第２経路とを有する伝送手段と、第１経路で伝送された画像データを記憶する第１記憶手段と、第２経路で伝送された画像データから表示用画像データを生成する表示用画像生成手段と、表示用画像生成手段により生成された表示用画像データを記憶する第２記憶手段と、第２記憶手段に記憶された表示用画像データを、撮像フレームレートより低い表示フレームレートで表示手段に表示させる表示制御手段と、を備えることを特徴とする。
【発明の効果】
【０００６】
本発明によれば、スロー表示にかかる処理時間を短縮し、且つＣＰＵにかかる負荷を軽減することができる。
【図面の簡単な説明】
【０００７】
【図１】本発明の一実施の形態によるデジタルカメラの構成例を説明するブロック図である。
【図２】スロー表示処理を説明する図である。
【図３】シャッターボタンが全押し操作された際の処理を説明する図である。
【図４】ＣＰＵが実行する処理の流れを説明するフローチャートである。
【発明を実施するための形態】
【０００８】
以下、図面を参照して本発明を実施するための形態について説明する。図１は、本発明の一実施の形態によるデジタルカメラ１の構成例を説明するブロック図である。図１において、デジタルカメラ１は、撮像光学系１１と、撮像素子１２と、センサＩ／Ｆ（インタフェース）１３と、表示用画像生成部１４と、ＲＡＷ画像用ＳＤＲＡＭ１５と、表示画像用ＳＤＲＡＭ１６と、ＣＰＵ１７と、表示部１８と、操作部材１９と、現像処理部２０と、メモリカードＩ／Ｆ２１と、を備える。
【０００９】
センサＩ／Ｆ１３と、表示用画像生成部１４と、ＲＡＷ画像用ＳＤＲＡＭ１５と、表示画像用ＳＤＲＡＭ１６と、ＣＰＵ１７と、表示部１８と、現像処理部２０と、メモリカードＩ／Ｆ２１とは、それぞれがバス２２を介して接続されている。
【００１０】
撮像光学系１１は、ズームレンズやフォーカシングレンズを含む複数のレンズ群で構成され、被写体像を撮像素子１２の受光面に結像させる。なお、図１を簡単にするため、撮像光学系１１を単レンズとして図示している。
【００１１】
撮像素子１２は、例えばＣＭＯＳイメージセンサなどによって構成される。撮像素子１２は、被写体像を光電変換して画像信号を生成する。撮像素子１２の受光面には、周知のモザイクカラーフィルターが設けられている。モザイクカラーフィルターは、赤（Ｒ）色、青（Ｂ）色、および緑（Ｇ）色のいずれかの光を通過させる原色フィルタが画素位置に対応してモザイク状の配列（たとえば、ベイヤー配列）で構成された色分解フィルタである。撮像素子１２は、このようなカラーフィルターを通して被写体像を撮像することにより、光の３原色ごとのアナログ画像信号を出力する。
【００１２】
撮像素子１２で生成されたアナログ画像信号は、不図示のＡ／Ｄ変換部でデジタル画像データ（ＲＡＷ画像データ）に変換され、センサＩ／Ｆ１３へ出力される。なお、ＲＡＷ画像データとは、入射光の光量と出力信号値との関係が線形の関係となる画像データであり、画像処理（例えば、デモザイク、ホワイトバランス変換やγ変換など）が施されていない画像データである。
【００１３】
表示用画像生成部１４は、撮像素子１２からセンサＩ／Ｆ１３を介して入力されたＲＡＷ画像データのサイズを表示用のサイズに縮小（すなわち表示用の画素数に削減）し、且つ輝度色差信号（ＹＵＶデータ）に変換することにより、表示用画像データを生成する。
【００１４】
ＲＡＷ画像用ＳＤＲＡＭ１５は、後述するスロービューモードにおいて、ＲＡＷ画像データを一時記憶するために使用される。表示画像用ＳＤＲＡＭ１６は、後述するスロービューモードにおいて、表示用画像データを一時記憶するために使用される。なお、表示画像用ＳＤＲＡＭ１６は、ＲＡＷ画像用ＳＤＲＡＭ１５よりも記憶容量の少ないＳＤＲＡＭである。本実施形態では、記憶とはＳＤＲＡＭなどの揮発性の記憶装置に画像を保存することであり、記録とはメモリカードなどの不揮発性の記録媒体に画像を保存することとして説明する。
【００１５】
ＣＰＵ１７は、不図示のフラッシュメモリなどに記録されているプログラムを実行することによってデジタルカメラ１が行う動作を統括的に制御する。
【００１６】
表示部１８は、デジタルカメラ１の背面に搭載された液晶モニタ（背面モニタ）や、デジタルカメラ１の上部に設けられたＥＶＦ（電子ビューファインダ）などを含み、ＣＰＵ１７の指示に応じて、画像やメニュー画面などを表示する。
【００１７】
操作部材１９は、ユーザによって操作される種々の入力部材、例えば、モード切替ボタン、シャッターボタン、録画ボタン、十字キー、決定ボタンなどを含む。操作部材１９は、モード切替え操作やメニュー選択操作など、各操作に応じた操作信号をＣＰＵ１７へ送出する。
【００１８】
現像処理部２０は、ＲＡＷ画像データに対して現像処理（例えば、デモザイク、ホワイトバランス変換、γ変換、圧縮処理など）を施し、記録用画像データを生成する。
【００１９】
メモリカードＩ／Ｆ２１はコネクタ（不図示）を有し、該コネクタにメモリカード３０が接続される。メモリカードＩ／Ｆ２１は、接続されたメモリカード３０に対するデータの書き込みや、メモリカード３０からのデータの読み込みを行う。
【００２０】
ところで、本実施形態のデジタルカメラ１には、撮像フレームレートと略同じ表示フレームレートでスルー画を表示するライブビューモードの他に、スロービューモードが設けられている。スロービューモードとは、ライブビューモード時にシャッターボタンが半押し操作されると、撮像フレームレートよりも低い表示フレームレートでスルー画を表示するモードである。換言すれば、被写体を表示部１８にスロー表示する撮影モードである。スロービューモードでは、ユーザがスロー表示を見ながら所望のタイミングでシャッターボタンを全押し操作することで、全押し操作時点で表示部１８に表示されていた画像をメモリカード３０に記録することができる。したがって、ユーザは、シャッターチャンスを逃さず撮影することができる。以下、このスロービューモードに関して、詳しく説明する。
【００２１】
ＣＰＵ１７は、ユーザの操作部材１９によるモード切替え操作によって、スロービューモードに設定されると、撮像素子１２に所定の撮像フレームレートで被写体像を繰り返し撮像させる撮像処理を開始させる。そして、ＣＰＵ１７は、撮像処理により得られる画像を、撮像フレームレートと略同じ表示フレームレート（以下、通常フレームレートと呼ぶ）で表示部１８に表示するライブビュー表示処理を開始する。
【００２２】
ライブビュー表示処理では、撮像処理によって得られるＲＡＷ画像データを、撮像素子１２からセンサＩ／Ｆ１３を介して、表示用画像生成部１４に入力する。表示用画像生成部１４は、入力されたＲＡＷ画像データに基づいて表示用画像データを生成する。ＣＰＵ１７は、表示用画像生成部１４によって生成された表示用画像データを、通常フレームレートで表示部１８に表示させる。このときユーザは、表示部１８に表示されるスルー画を確認しながら、撮影タイミングを待つ。
【００２３】
そして、撮影タイミングが近づいたとユーザが判断して、シャッターボタンを半押し操作したとする。すると、ＣＰＵ１７は、この半押し操作時点から、撮像処理により得られる画像を、通常フレームレートよりも低い表示フレームレート（以下、スロー表示用フレームレートと呼ぶ）で表示部１８に表示するスロー表示処理を開始する。
【００２４】
スロー表示処理について、図２を用いて説明する。図２に示すように、スロー表示処理では、撮像素子１２の撮像処理によって得られるＲＡＷ画像データを、センサＩ／Ｆ１３から記録用画像のラインと表示用画像のラインとにそれぞれ入力する。記録用画像のラインに入力されたＲＡＷ画像データは、ＲＡＷ画像用ＳＤＲＡＭ１５に伝送されて、逐次記憶される。すなわち、ＲＡＷ画像用ＳＤＲＡＭ１５には、撮像処理によって得られるＲＡＷ画像データが蓄積されていく。なお、ＲＡＷ画像用ＳＤＲＡＭ１５に記憶されるＲＡＷ画像データは、後述する記録用画像データを生成するために用いられる。
【００２５】
一方、表示用画像のラインに入力されたＲＡＷ画像データは、表示用画像生成部１４に伝送される。表示用画像生成部１４は、伝送されたＲＡＷ画像データを表示用のサイズに縮小し、且つ輝度色差信号（ＹＵＶデータ）に変換して、表示用画像データを生成する。表示用画像生成部１４により生成された表示用画像データは、表示画像用ＳＤＲＡＭ１６に伝送されて、逐次記憶される。すなわち、表示画像用ＳＤＲＡＭ１６には、撮像処理によって得られるＲＡＷ画像データに基づく表示用画像データが蓄積されていく。
【００２６】
なお、各フレームにおいて、ＲＡＷ画像用ＳＤＲＡＭ１５に記憶されるＲＡＷ画像データと、このＲＡＷ画像データに基づいて生成され、表示画像用ＳＤＲＡＭ１６に記憶される表示用画像データとは、互いに関連付けられて記憶される。この関連付けは、例えば、シャッターボタンの半押し操作時点から何枚目に撮像された画像であるかを示す番号を、ＲＡＷ画像用ＳＤＲＡＭ１５に記憶されるＲＡＷ画像データと表示画像用ＳＤＲＡＭ１６に記憶される表示用画像データとにそれぞれ付加しておくことにより行うことができる。
【００２７】
そして、ＣＰＵ１７は、表示画像用ＳＤＲＡＭ１６に記憶された表示用画像データを、スロー表示用フレームレート（例えば、撮像フレームレートの１／５倍のスピード）で表示部１８に表示させていく。これにより、ユーザは、スロー表示を見ながら、シャッターチャンスを狙うことができる。
【００２８】
ＣＰＵ１７は、シャッターボタンの半押し操作時点から所定フレーム数（Ｎフレーム）分の撮像処理が完了すると、ＲＡＷ画像用ＳＤＲＡＭ１５へのＲＡＷ画像データの書き込みおよび表示画像用ＳＤＲＡＭ１６への表示用画像データの書き込みを停止させる。したがって、これ以降、ＲＡＷ画像用ＳＤＲＡＭ１５にはＮフレーム分のＲＡＷ画像データが記憶されている状態となり、表示用ＳＤＲＡＭ１５にはＮフレーム分の表示用画像データが記憶されている状態となる。なお、所定フレーム数（Ｎフレーム）は、例えば、ＲＡＷ画像用ＳＤＲＡＭ１５または表示画像用ＳＤＲＡＭ１６の記憶容量に応じて設定される。
【００２９】
また、ＣＰＵ１７は、Ｎフレーム分の表示用画像データのスロー表示が終了すると、シャッターボタンの半押し操作の解除もしくは全押し操作がない限り、再度、表示画像用ＳＤＲＡＭ１６からＮフレーム分の表示用画像データを順に読み出して表示部１８にスロー表示させる。すなわち、表示画像用ＳＤＲＡＭ１６に蓄積されたＮフレーム分のフレーム画像のスロー表示を繰り返し行う（すなわちリピート表示する）。
【００３０】
ここで、ユーザが、スロー表示を確認しながら所望の撮影タイミングを捉えて、シャッターボタンを全押し操作したとする。すると、ＣＰＵ１７は、図３に示すように、この全押し操作時点で表示部１８に表示していた表示用画像データに関連付けられているＲＡＷ画像データを、ＲＡＷ画像用ＳＤＲＡＭ１５から読み出し、現像処理部２０へ出力する。現像処理部２０は、入力されたＲＡＷ画像データに対して現像処理を施して、記録用画像データを生成する。ＣＰＵ２１は、現像処理部２０により生成された記録用画像データを、メモリカードＩ／Ｆ２１を介してメモリカード３０に記録する。また、ＣＰＵ１７は、スロー表示処理を終了し、ＲＡＷ画像用ＳＤＲＡＭ１５に蓄積されたＲＡＷ画像データおよび表示画像用ＳＤＲＡＭ１６に蓄積された表示用画像データを削除して、ライブビュー表示処理を再開する。
【００３１】
なお、ＣＰＵ１７は、シャッターボタンの半押し操作が解除された場合にも、ＲＡＷ画像用ＳＤＲＡＭ１５に蓄積されたＲＡＷ画像データおよび表示画像用ＳＤＲＡＭ１６に蓄積された表示用画像データを削除して、ライブビュー表示処理を再開する。
【００３２】
次に、上述したスロービューモードに関する処理の流れを、図４に示すフローチャートを用いて説明する。ＣＰＵ１７は、ユーザの操作部材１９によるモード切替え操作によって、静止画撮影モードが設定されると、図４に示す処理を開始する。
【００３３】
ステップＳ１において、ＣＰＵ１７は、撮像素子１２に撮像処理を開始させ、撮像処理により得られる画像を、撮像フレームレートと略同じである通常フレームレートで表示部１８に表示するライブビュー表示処理を開始して、ステップＳ２へ進む。
【００３４】
ステップＳ２において、ＣＰＵ１７は、シャッターボタンが半押し操作されたか否かを判定する。シャッターボタンが半押し操作されない場合には、ステップＳ２を否定判定して、ライブビュー表示処理を継続し、ステップＳ２の判定処理を繰り返す。一方、シャッターボタンが半押し操作された場合には、ＣＰＵ１７は、ステップＳ２を肯定判定してライブビュー表示処理を終了し、ステップＳ３へ進む。
【００３５】
ステップＳ３において、ＣＰＵ１７は、撮像処理によって得られるＲＡＷ画像データをＲＡＷ画像用ＳＤＲＡＭ１５に蓄積する処理と、当該ＲＡＷ画像データから表示用画像データを生成して表示画像用ＳＤＲＡＭ１６に蓄積する処理とを開始して、ステップＳ４へ進む。
【００３６】
ステップＳ４において、ＣＰＵ１７は、表示画像用ＳＤＲＡＭ１６に記憶された表示用画像データを、撮像フレームレートよりも低いスロー表示用フレームレートで表示部１８に表示するスロー表示処理を開始して、ステップＳ５へ進む。
【００３７】
ステップＳ５において、ＣＰＵ１７は、ＲＡＷ画像用ＳＤＲＡＭ１５および表示画像用ＳＤＲＡＭ１６に所定フレーム数分のＲＡＷ画像データおよび表示用画像データが蓄積されたか否かを判定する。ＣＰＵ１７は、所定フレーム数分が蓄積された場合には、ステップＳ５を肯定判定してステップＳ６へ進み、ＲＡＷ画像データをＲＡＷ画像用ＳＤＲＡＭ１５に蓄積する処理と、表示用画像データを表示画像用ＳＤＲＡＭ１６に蓄積する処理とを終了して、ステップＳ７へ進む。一方、ＣＰＵ１７は、所定フレーム数分が蓄積されていない場合には、ステップＳ５を否定判定して、ＲＡＷ画像データをＲＡＷ画像用ＳＤＲＡＭ１５に蓄積する処理と、表示用画像データを表示画像用ＳＤＲＡＭ１６に蓄積する処理とを継続したまま、ステップＳ７へ進む。
【００３８】
ステップＳ７において、ＣＰＵ１７は、制御部１４は、シャッターボタンの半押し操作が解除されたか否かを判定する。シャッターボタンの半押し操作が解除されたと判定した場合には、ＣＰＵ１４は、ステップＳ７を肯定判定して、ステップＳ１１へ進む。一方、シャッターボタンの半押し操作が解除されていないと判定した場合には、ＣＰＵ１７は、ステップＳ７を否定判定して、ステップＳ８へ進む。
【００３９】
ステップＳ８において、ＣＰＵ１７は、シャッターボタンが全押し操作されたか否かを判定する。シャッターボタンが全押し操作されていないと判定した場合には、ＣＰＵ１７は、ステップＳ８を否定判定してステップＳ５へ戻り、スロー表示処理を継続する。一方、シャッターボタンが全押し操作されたと判定した場合には、制御部１４は、ステップＳ８を肯定判定してステップＳ９へ進む。
【００４０】
ステップＳ９において、ＣＰＵ１７は、シャッターボタンが全押し操作された時点で表示部１８に表示していた表示用画像データに関連付けられているＲＡＷ画像データを、ＲＡＷ画像用ＳＤＲＡＭ１５から読み出す。そしてＣＰＵ１７は、読み出したＲＡＷ画像データを現像処理部２０に入力して、現像処理部２０により現像処理を行わせて記録用画像データを生成させ、ステップＳ１０へ進む。
【００４１】
ステップＳ１０において、ＣＰＵ１７は、現像処理部２０によって生成された記録用画像データをメモリカード３０に記録し、ステップＳ１１へ進む。
【００４２】
ステップＳ１１において、ＣＰＵ１７は、スロー表示処理を終了し、ＲＡＷ画像用ＳＤＲＡＭ１５に蓄積されたＲＡＷ画像データおよび表示画像用ＳＤＲＡＭ１６に蓄積された表示用画像データを削除して、ステップＳ１に戻り、通常フレームレートでスルー画を表示するライブビュー表示処理を再開する。
【００４３】
以上説明した実施形態によれば、次の作用効果が得られる。
デジタルカメラ１は、所定の撮像フレームレートで画像データを取得する撮像素子１２と、撮像素子１２により取得した画像データ（ＲＡＷ画像データ）を伝送する記録用画像のライン（第１経路）および表示用画像のライン（第２経路）と、記録用画像のラインで伝送されたＲＡＷ画像データを記憶するＲＡＷ画像用ＳＤＲＡＭ１５と、表示用画像のラインで伝送されたＲＡＷ画像データから表示用画像データを生成する表示用画像生成部１４と、表示用画像生成部１４により生成された表示用画像データを記憶する表示画像用ＳＤＲＡＭ１６と、表示画像用ＳＤＲＡＭ１６に記憶された表示用画像データを、撮像フレームレートより低い表示フレームレートで表示部１８にスロー表示させるＣＰＵ１７と、を備える。また、デジタルカメラ１は、撮像素子１２により取得した複数のＲＡＷ画像データを、記録用画像のライン（第１経路）と表示用画像のライン（第２経路）とに、それぞれ入力するセンサＩ／Ｆ１３をさらに備える。また、デジタルカメラ１は、画像の記録を指示する操作部材（シャッターボタン）１９と、シャッターボタンによる指示が行われると、当該指示タイミングにおいて表示部１８にスロー表示されていた表示用画像データに対応する、ＲＡＷ画像用ＳＤＲＡＭ１５に記憶されているＲＡＷ画像データをメモリカード３０に記録するＣＰＵ１７と、をさらに備える。このように、デジタルカメラ１は、撮像されたＲＡＷ画像データを、記録用画像のラインと表示用画像のラインとに分割し、表示用画像のラインにおいて、ＲＡＷ画像データから表示用画像データを生成した後、表示画像用ＳＤＲＡＭ１６に記憶し、表示画像用ＳＤＲＡＭ１６から表示用画像データを読み出してスロー表示する。したがって、デジタルカメラ１は、ＲＡＷ画像データをバッファメモリに記憶した後、バッファメモリからＲＡＷ画像データを読み出して表示用画像データを生成し、スロー表示を行う場合（すなわちバッファメモリに記憶されたＲＡＷ画像データから表示用画像データと記録用画像データとを生成する場合）と比べて、スロー表示にかかる処理時間を短縮し、且つＣＰＵ１７にかかる負荷を軽減することができる。
【００４４】
（変形例１）
上述した実施の形態では、記録用画像データを生成するためのＲＡＷ画像データを蓄積するＲＡＷ画像用ＳＤＲＡＭ１５と、表示用画像データを蓄積する表示画像用ＳＤＲＡＭ１６との２つのＳＤＲＡＭを設ける例について説明した。しかしながら、共通のＳＤＲＡＭを１つ設け、この１つのＳＤＲＡＭ内に、記録用画像データを生成するためのＲＡＷ画像データを蓄積する記憶領域と、表示用画像データを蓄積する記憶領域とを別々に設けるようにしてもよい。
【００４５】
（変形例２）
上述した実施の形態では、スロー表示処理中に、シャッターボタンが全押し操作されると、この全押し操作時点で表示されていた表示用画像データに関連付けられているＲＡＷ画像データに対して現像処理を行ってメモリカード３０に記録して、スロー表示処理を終了する例について説明した。すなわち、１回のスロー表示処理において撮影（記録）できる枚数が１枚である例について説明した。しかしながら、１回のスロー表示処理において撮影できる枚数を複数枚とするようにしてもよい。
【００４６】
この場合、スロー表示処理の終了操作は、シャッターボタン以外の操作部材１９で行われるようにし、シャッターボタンが全押し操作されても、スロー表示処理を継続するようにする。また、ＣＰＵ１７は、スロー表示処理中、シャッターボタンが全押し操作されるごとに、全押し操作時点で表示されていた表示用画像データに関連付けられているＲＡＷ画像データに対して、現像処理部２０により現像処理を行わせ、メモリカード３０に記録する。
【００４７】
なお、ＣＰＵ１７は、スロー表示処理中において、シャッターボタンが全押し操作された時点では、その時点で表示されていた表示用画像データに関連付けられているＲＡＷ画像データにフラグを付加しておく。そして、ＣＰＵ１７は、スロー表示処理が終了した後に、フラグが付加されたＲＡＷ画像データに対して、現像処理部２０により現像処理を行わせ、メモリカード３０に記録するようにしてもよい。
【００４８】
（変形例３）
上述した実施の形態では、スロー表示処理中、シャッターボタンが全押し操作されると、ＲＡＷ画像用ＳＤＲＡＭ１５から読み出したＲＡＷ画像データに対して現像処理を行ってからメモリカード３０に記録する例について説明した。しかしながら、ＲＡＷ画像データに対して現像処理を行わず、ＲＡＷ画像データファイルとしてメモリカード３０に記録するようにしてもよい。すなわち、上述した実施の形態のように、撮像素子１２により撮像されたＲＡＷ画像データを記録用画像のラインと表示用画像のラインとに分割して、ＲＡＷ画像データをＲＡＷ画像用ＳＤＲＡＭ１５に記憶しておくことにより、シャッターボタンが全押し操作されたときに、画像データを、ＲＡＷ画像データファイルの形式で記録することもできるし、ＲＡＷ画像データを現像処理した後の形式で記録することもできる。
【００４９】
（変形例４）
上述した実施の形態では、スロー表示処理において、センサＩ／Ｆ１３から記録用画像のラインに入力されたＲＡＷ画像データをＲＡＷ画像用ＳＤＲＡＭ１５に蓄積する例について説明した。しかしながら、記録用画像のラインを通ってＳＤＲＡＭに蓄積する画像データは、ＲＡＷ画像データに限らなくてもよく、例えば、ＲＡＷ画像データに対して現像処理を施した記録用画像データであってもよい。
【００５０】
この場合、例えば、ＲＡＷ画像用ＳＤＲＡＭ１５の代わりに、ＪＰＥＧ画像用ＳＤＲＡＭを設ける。デジタルカメラ１では、センサＩ／Ｆ１３から記録用画像のラインに入力されたＲＡＷ画像データを、現像処理部２０に伝送し、当該ＲＡＷ画像データに対して現像処理を施してＪＰＥＧ画像データを生成する。そして、このＪＰＥＧ画像データをＪＰＥＧ画像用ＳＤＲＡＭに伝送して、逐次記憶させる。なお、この場合、ＪＰＥＧ画像データと、ＪＰＥＧ画像データに対応する表示用画像データとが、互いに関連付けて記憶されるようにする。そして、シャッターボタンが全押し操作されると、当該全押し操作時点で表示部１８に表示していた表示用画像データに関連付けられているＪＰＥＧ画像データを、ＪＰＥＧ画像用ＳＤＲＡＭから読み出して、メモリカード３０に記録する。現像処理をすでに施してあるので、シャッターボタンが全押し操作されてから、ＪＰＥＧ画像データをメモリカード３０に記録するまでの時間を短縮することができる。
【００５１】
以上の説明はあくまで一例であり、上記の実施形態の構成に何ら限定されるものではない。また、上記実施形態に各変形例の構成を適宜組み合わせてもかまわない。
【符号の説明】
【００５２】
１…デジタルカメラ、１１…撮像光学系、１２…撮像素子、１３…センサＩ／Ｆ、１４…表示用画像生成部、１５…ＲＡＷ画像用ＳＤＲＡＭ、１６…表示画像用ＳＤＲＡＭ、１７…ＣＰＵ、１８…表示部、１９…操作部材、２０…現像処理部、２１…メモリカードＩ／Ｆ、２２…バス、３０…メモリカード
【図１】
2014075761.tif 000003
【図２】
2014075761.tif 000004
【図３】
2014075761.tif 000005
【図４】
2014075761.tif 000006